(57)【要約】【課題】隠蔽紙片の秘匿欄への貼り付け位置決めを正確に行うことができるようにし、さらに隠蔽紙片の自由度を高める【解決手段】秘匿欄印刷部４の第一の縁６に隠蔽紙片２の第二の縁７を第一の接着層３を介して接続する。隠蔽紙片２の秘匿欄印刷部４に対応する貼り合わせ面に透明又は半透明な第二の接着層11を介して透明又は半透明なシート材12を設ける。シート材12の表面に前記第二の接着層11の接着力より大きな透明又は半透明な接着力を有する第三の接着層13を介して剥離紙14を設ける。剥離紙14を剥がして紙片本体１と別体の隠蔽紙片２を、第二の縁７を中心として回動するようにして秘匿欄印刷部４に正確に貼り付けできる。【選択図】図２
0003145351.tif 000002
【実用新案登録請求の範囲】
【請求項１】
紙片本体の表面に形成した秘匿欄を、隠蔽紙片を接着して覆うことで秘匿性を有し、前記隠蔽紙片を剥がして前記秘匿欄をあらわす秘匿性を有した情報所持体において、秘匿欄のいずれか一方の第一の縁に前記隠蔽紙片のいずれか一方の第二の縁を第一の接着層を介して接続し、該隠蔽紙片の前記秘匿欄に対応する貼り合わせ面に透明又は半透明な第二の接着層を介して透明又は半透明なシート材を設けると共に、該シート材の表面に前記第二の接着層の接着力より大きな透明又は半透明な接着力を有する第三の接着層を介して剥離紙を設けたことを特徴とする秘匿性を有した情報所持体。
【請求項２】
前記第二の接着層が擬似接着層であることを特徴とする請求項１記載の秘匿性を有した情報所持体。
【請求項３】
前記シート材がグラシン紙であることを特徴とする請求項２又は３記載の秘匿性を有した情報所持体。
【請求項４】
前記紙片本体が郵便葉書であることを特徴とする請求項１〜３のいずれか１項に記載の秘匿性を有した情報所持体。
【請求項５】
前記紙片本体と前記剥離紙との間に第四の接着層を前記第一の縁と反対側に設けたことを特徴とする請求項１〜４のいずれか１項に記載の秘匿性を有した情報所持体。
【請求項６】
前記第四の接着層は前記秘匿欄の欄外に設けられることを特徴とする請求項５記載の秘匿性を有した情報所持体。
【請求項７】
前記第四の接着層の接着力は、前記第一の接着層、前記第二の接着層、前記第三の接着層のいずれの接着力よりも小さいことを特徴とする請求項１〜６のいずれか１項に記載の秘匿性を有した情報所持体。
【考案の詳細な説明】
【技術分野】
【０００１】
本考案は、郵便葉書などに利用される秘匿性を有した情報所持体情報所持体に関するものである。
【背景技術】
【０００２】
従来、この種のものとして第１葉と第２葉とが折曲予定線を介して連接され、第１葉側に秘匿情報が記載される基材と、前記基材の第１葉に再剥離可能に粘着して、その基材の第１葉に記載される秘匿情報を隠蔽可能な隠蔽ラベルと、前記隠蔽ラベルの大部分の面が仮貼着される分離片及び前記隠蔽ラベルの一部分の面が仮貼着され前記基材の第２葉に接着される固定片を有する剥離部材とからなり、剥離部材の分離片を剥離して、前記基材を前記折曲予定線から折り合わせたときに、前記基材の第１葉に対する前記隠蔽ラベルの位置決めがされる隠蔽ラベルの簡易貼付媒体が知られている（例えば、特許文献１）。
【０００３】
また、折りミシン目を挟んで配置された第１及び第２の領域を有する支持基材と、第１の領域上の中央付近に設けられた記入欄と、第２の領域上に配置され、全面が透明な透明紙，粘着剤及び剥離紙が順に積層された透明タック紙と、透明紙の一部であって、記入欄に対向しない部分に設けられ、カーボンブラックを含む墨インキ層などからなる隠蔽層と、記入欄に対する部分を高い剥離性を有する剥離剤で弱接着させ、隠蔽層に対する部分を強い接着性を有する擬似接着剤で接着させ、第２の領域と透明紙とを剥離可能に擬似接着する擬似接着層を備え、剥離剤を剥離した状態で第２の領域を第１の領域に貼着することで、折りミシン目を介して第１及び第２の領域を折りたたみ、透明タック紙等を介して貼着して秘匿情報欄を隠蔽でき、一方貼着後に第２の領域を第１の領域より剥がすと、第１の領域に透明タック紙等が残り、この結果記入欄に記入した一次記入した文字と透明タック紙上に二次記入した文字とのその違いが一見して分かり、隠蔽層上に追記をしても、簡単にその事実が確認できる隠蔽ラベルも知られている（例えば、特許文献２）。
【特許文献１】特許第３２７４００７号公報
【特許文献２】特開２００６−３３０２１８号公報
【考案の開示】
【考案が解決しようとする課題】
【０００４】
前者の従来技術においては、遮蔽ラベルをいったん剥がしてから秘匿情報が記載される箇所に貼り付けするものであるが、このような遮蔽ラベルが、秘匿情報が記載される側と別体になるものでは、遮蔽ラベルを斜めに貼り付けたり、皺がよって貼り付けたりするなど正確に貼り付けできなくなるおそれがある。
【０００５】
これに対して、後者の従来技術においては折りミシン目を挟んで配置された第１の領域に記入欄を設けると共に、第２の領域に透明タック紙等を設けるものであるので、折りミシン目を介して第１及び第２の領域を折りたたんで貼り付けすることで、両者の位置決めを正確に行うことができる。
【０００６】
しかしながら、この後者の従来技術においては、第１及び第２の領域を同一の材質によって形成されることになるので、例えば隠蔽紙片（遮蔽ラベル）を薄いものとしたり、安価な材料を利用したり、或いは耐水性のある材質とするなど、紙片本体とは別材料のものとすることができなかった。この点、前者の従来技術においては隠蔽紙片を別材料とすることができるものの、上述のように正確な位置決めを行うことはできない。
【０００７】
さらに、従来技術においては、例えば郵便葉書の場合、１回あたりの印刷枚数が少ない、すなわち小ロットのときに用いられるような郵便葉書のような場合には、一通あたりの生産コストが高くなるために利用することが難しくなる。
【０００８】
解決しようとする問題点は、紙片本体の表面に形成した秘匿欄を、隠蔽紙片を接着して覆うことで秘匿性を有し、前記隠蔽紙片を剥がして前記秘匿欄をあらわす秘匿性を有した情報所持体において、前記隠蔽紙片の秘匿欄への貼り付け位置決めを正確に行うことができると共に、小ロットのような場合でも対応することができるように隠蔽紙片を紙片本体と別材料にするようにする点である。
【課題を解決するための手段】
【０００９】
請求項１の考案は、紙片本体の表面に形成した秘匿欄を、隠蔽紙片を接着して覆うことで秘匿性を有し、前記隠蔽紙片を剥がして前記秘匿欄をあらわす秘匿性を有した情報所持体において、秘匿欄のいずれか一方の第一の縁に前記隠蔽紙片のいずれか一方の第二の縁を第一の接着層を介して接続し、該隠蔽紙片の前記秘匿欄に対応する貼り合わせ面に透明又は半透明な第二の接着層を介して透明又は半透明なシート材を設けると共に、該シート材の表面に前記第二の接着層の接着力より大きな透明又は半透明な接着力を有する第三の接着層を介して剥離紙を設けたことを特徴とする秘匿性を有した情報所持体である。
【００１０】
請求項２の考案は、前記第二の接着層が擬似接着層であることを特徴とする請求項１記載の秘匿性を有した情報所持体である。
【００１１】
請求項３の考案は、前記シート材がグラシン紙であることを特徴とする請求項２又は３記載の秘匿性を有した情報所持体である。
【００１２】
請求項４の考案は、前記紙片本体が郵便葉書であることを特徴とする請求項１〜４のいずれか１項に記載の秘匿性を有した情報所持体である。
【００１３】
請求項５の考案は、前記紙片本体と前記剥離紙との間に第四の接着層を前記第一の縁と反対側に設けたことを特徴とする請求項１〜４のいずれか１項に記載の秘匿性を有した情報所持体である。
【００１４】
請求項６の考案は、前記第四の接着層は前記秘匿欄の欄外に設けられることを特徴とする請求項５記載の秘匿性を有した情報所持体である。
【００１５】
請求項７の考案は、前記第四の接着層の接着力は、前記第一の接着層、前記第二の接着層、前記第三の接着層のいずれの接着力よりも小さいことを特徴とする請求項１〜６のいずれか１項に記載の秘匿性を有した情報所持体である。
【考案の効果】
【００１６】
請求項１の考案によれば、隠蔽紙片の第二の縁を中心として回動するようにして貼り付けでき、隠蔽紙片を秘匿欄に正確に貼り付けすることができる。また、隠蔽紙片の材質などの自由度を向上することができる。
【００１７】
請求項２の考案によれば、隠蔽紙片と共にシート材を紙片本体に貼り付けした状態で、隠蔽紙片を剥がすと第二の接着層が擬似接着層であるので、シート材は紙片本体に残って貼り付けられたままとなる。
【００１８】
請求項３の考案によれば、秘匿欄印刷部をシート材で覆ったときに、透明性が確保できる。
【００１９】
請求項４の考案によれば、確実な秘匿性を有した葉書を利用することができる
請求項５の考案によれば、第四の接着層によって、剥離紙、さらには剥離紙と一体的な隠蔽紙片が紙片本体に対して使用前にめくり上がるようなことはない。
【００２０】
請求項６の考案によれば、第四の接着層は秘匿欄の欄外に設けられることにより、第四の接着層の跡が残っても秘匿欄を汚すことはない
請求項７の考案によれば、第四の接着層の接着力に抗して剥離紙を紙片本体より剥がすとき他の接着層が剥がれるようなことはない。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１〜図９は実施例１を示しており、図１、図５〜７に示すように紙片本体１である所定の縦幅Ｌ１と所定の横幅Ｗ１を有する紙製の郵便葉書に該郵便葉書より小さい紙製の隠蔽紙片２が第一の接着層３を介して連接されている。この隠蔽紙片２の縦幅Ｌ２は前記縦幅Ｌ１より小さく、横幅Ｗ２は前記横幅Ｗ１と同じに形成される。尚、隠蔽紙片２の縦幅Ｌ２はＬ１のほぼ半分に形成されている。前記紙片本体１の表面である正面１Ａにおける下側に秘密に隠しておく所定事項を記入する秘匿欄である秘匿欄印刷部４が形成される。この秘匿欄印刷部４には氏名欄印刷部４Ａ、住所欄印刷部４Ｂ、さらに電話番号欄印刷部４Ｃなどの他に注文など連絡事項印刷部４Ｄが多段に形成されており、ここに秘匿情報である個人情報を書き込むものである。一方、正面１Ａにおける上側に宛名印刷部５が設けられている。この宛名印刷部５は住所印刷部５Ａと名称印刷部５Ｂとが上下に設けられている。尚、この宛名印刷部５は予め市町村名や会社名を印刷している。そして、前記秘匿欄印刷部４の周囲外側の一方である第一の縁６である正面１Ａの下縁には、例えば白地など紙面の素地のままとして第一の余白部６Ａが設けられており、この第一の余白部６Ａに第一の接着層３が設けられている。
【００２３】
前記隠蔽紙片２は、秘匿欄印刷部４を覆うことができる大きさを有しており、その周囲外側の一方である第二の縁７である下縁側にある第二の余白部７Ａに第一の接着層３を設けて、第一の余白部６Ａに第一の接着層３を介して接着している。尚、秘匿欄印刷部４の左右の縁にも同様な第三の余白部８が設けられている。さらに、紙片本体１における秘匿欄印刷部４に対応する背面には、第一の秘匿用模様印刷部９が設けられると共に、隠蔽紙片２における貼り合わせと反対側の面、すなわち正面にも第二の秘匿用模様印刷部10が設けられている。
【００２４】
そして、この第一の接着層３を設けた第二の縁７（第二の余白部７Ａ）を除いた隠蔽紙片２における秘匿欄印刷部４に対応して貼り合せる側には、秘匿欄印刷部４と全面的に対向可能に、透明又は半透明な第二の接着層11を介して透明又は半透明な薄い材料からなるシート材12を設けると共に、該シート材12の表面全面に前記第二の接着層11の接着力より大きな透明又は半透明な接着力を有する第三の接着層13を介して剥離紙14が設けられる。実施例では剥離紙14は切れ目14Ａを介して上下二枚に分かれて設けられている。第三の接着層13は剥離可能に擬似接着する擬似接着層によって形成されている。前記シート材12は紙類やフィルム状材を含むものであって、例えばパラフィン紙などとも称するグラシン紙によって形成される。尚、第一の接着層３の接着力は、第二の接着層11、第三の接着層13のいずれの接着力よりも小さくとも或いは大きくともよい。この場合の接着力の比較は、それぞれの貼り付け用の全面積の接着力であってもよいし、単位面積あたりの接着力でもよい。
【００２５】
次に前記構成についてその作用を説明する。秘匿欄印刷部４が白紙の状態で受取った受取人は、図２に示すように、第一の接着層３を介して綴じている本を開くようにして剥離紙14を上向きとして隠蔽紙片２を一体となって開いた状態で氏名欄印刷部４Ａに「×× ××」というように氏名を一次記入として筆記具15で一次記入部16を記入する。また、同様に住所欄印刷部４Ｂに住所を記入する。さらに電話番号欄印刷部４Ｃに電話番号を記入する。また、連絡事項印刷部４Ｄにも注文内容などを記入する。
【００２６】
次に図３に示すように、剥離紙14を剥がした後に、第一の接着層３を中心として第三の接着層13を秘匿欄印刷部４に対向させて貼り付ける。この貼り付けにあっては、第一の縁６（第一の余白部６Ａ）と第二の縁７（第二の余白部７Ａ）が第一の接着層３によって固定されているので、隠蔽紙片２の一方が位置決めされ、隠蔽紙片２の他方をやや引っ張りながら貼り付けることで、秘匿欄印刷部４に対して正確に貼り付けすることができる。この貼り付けによって秘匿欄印刷部４は隠蔽紙片２によって遮蔽されることとなる。このように秘匿欄印刷部４が遮蔽された図８の状態で投函されるものである。
【００２７】
このようにして秘匿性を有する秘匿欄印刷部４を隠蔽紙片２によって隠蔽して郵送された葉書を受取った正規の受取人は、秘匿性を解除して秘匿欄印刷部４の記載内容を読む場合、図４に示すように隠蔽紙片２を剥がす。この際、第二の接着層11の接着力は第三の接着層13の接着力より小さいことに起因して、シート材12が秘匿欄印刷部４を覆ったまま隠蔽紙片２が剥がれた状態となる。この状態では、図９に示すように秘匿欄印刷部４の上面にシート材12が覆っているが、シート材12は透明又は半透明なので、秘匿欄印刷部４に記入された内容を読み取ることができる。一方、第三者が隠蔽紙片２を剥がした場合には、シート材12が秘匿欄印刷部４を覆ったまま隠蔽紙片２が剥がれた状態となる。このため、秘匿欄印刷部４に前述の１次記入部16を訂正するような２次記入をしようとしても、その２次記入はシート材12上に記入されることとなり、そして、この２次記入は一目瞭然で判明することができ、また２次記入した後に隠蔽紙片２を再び第二の接着層11で貼り付けしようとしても、第二の接着層11は擬似接着剤なので再貼り付けができないので、正規の受取人が受け取ったときには第三者が予め剥がしたことが判明する。
【００２８】
以上のように、前記実施例では請求項１に対応して、紙片本体１の表面に形成した秘匿欄印刷部４を、隠蔽紙片２を接着して覆うことで秘匿性を有し、前記隠蔽紙片２を剥がして前記秘匿欄印刷部４をあらわす秘匿性を有した情報所持体において、秘匿欄印刷部４の第一の縁６に前記隠蔽紙片２の第二の縁７を第一の接着層３を介して接続し、該隠蔽紙片２の前記秘匿欄印刷部４に対応する貼り合わせ面に透明又は半透明な第二の接着層11を介して透明又は半透明なシート材12を設けると共に、該シート材12の表面に前記第二の接着層11の接着力より大きな透明又は半透明な接着力を有する第三の接着層13を介して剥離紙14を設けたことにより、剥離紙14を剥がして隠蔽紙片を秘匿欄印刷部４に貼り付けするとき、第一の縁６と第二の縁７とが第一の接着層３とで接着して固定しているので、隠蔽紙片２の第二の縁７を中心として回動するようにして貼り付けでき、隠蔽紙片２を秘匿欄印刷部４の全面に正確に貼り付けすることができる。また、紙片本体１と隠蔽紙片２とは別体であるので隠蔽紙片２を薄くしたり、防水性のあるものにしたりして隠蔽紙片２の材質を自由に選択することができる。さらに、紙片本体１と隠蔽紙片２とは別体であるので、小ロットの製造にも対応することができる。
【００２９】
また、請求項２に対応して、前記第二の接着層11が擬似接着層であることにより、図４に示したように隠蔽紙片を剥がしたときにシート材12が確実に秘匿欄印刷部４側に残ることができる。
【００３０】
さらに、請求項３に対応して、前記シート材12がグラシン紙であることにより、秘匿欄印刷部４を覆ったときに、透明性が確保でき、１次記入部16を確実に読み取ることができる。
【００３１】
しかも、請求項４に対応して、前記紙片本体１が郵便葉書であることにより、確実な秘匿性を有した葉書を利用することができる。
【実施例２】
【００３２】
以下に他の実施例について説明する。尚、前記実施例１と同一部分には同一符号を付し、その詳細な説明を省略する。
【００３３】
図10〜図11に示す実施例２は、紙片本体１Ｂを例えば雑誌に綴り込むため、隠蔽紙片２Ａを設けた紙片本体１Ｂのいずれかの縁に切り取り線17を介しての延長紙18を一体に設けたものである。実施例では延長紙18は葉書の上縁側に連設している。
【００３４】
さらに、紙片本体１Ａにおける秘匿欄印刷部４の箇所と剥離紙14との間に第四の接着層19を設ける。この第四の接着層19は第一の縁６と反対側に接着力が弱いように接着面積を点状として局部的に設けたものであって、その第四の接着層19の接着力は、第一の接着層３、第二の接着層11、第三の接着層13のいずれよりも小さく形成している。そして、この第四の接着層19の位置は、実施例１と同じ位置にある秘匿欄印刷部４の欄外に設けられるように縁側に設けられている。
【００３５】
したがって、剥離紙14が一体的に紙片本体１Ａと一体に設けられているときは、剥離紙14、ひいては隠蔽紙片２Ａも紙片本体１Ａと一体に設けられ、この結果、指（図示せず）が隠蔽紙片２Ａにさわったり、或いは雰囲気の風圧によって剥離紙14、剥離紙14と一体的な隠蔽紙片２Ａがめくり上がることを、第四の接着層19で阻止することができる。尚、第四の接着層19の貼り付け用の全面積の接着力の比較は、第一の接着層３の貼り付け用の全面積、第二の接着層７の貼り付け用の全面積、第三の接着層13の貼り付け用の全面積のいずれの接着力よりも小さく形成されている。
【００３６】
使用するときには延長紙18から紙片本体１Ｂを隠蔽紙片２Ａと共に切り取り、そして、隠蔽紙片２Ａと一体的な剥離紙14を第四の接着層19の接着力に抗して紙片本体１Ｂより剥がし、その後、実施例１と同様に秘匿欄印刷部４を隠蔽紙片２Ａで覆ったり、或いは秘匿欄印刷部４を隠蔽紙片２Ａで覆った後に紙片本体１Ｂを隠蔽紙片２Ａと共に切り取り、その後、秘匿欄印刷部４を隠蔽紙片２で覆って使用するものである。
【００３７】
以上のように実施例２においては、請求項５に対応して紙片本体２Ａと剥離紙14との間に第四の接着層19を第一の縁６と反対側に設けたことで、一体的となっている剥離紙14、隠蔽紙片２Ａが使用前の状態を維持でき、秘匿欄印刷部４が汚れたり、剥離紙14、隠蔽紙片２Ａに皺がよったりするようなことはない。
【００３８】
また、請求項６に対応して第四の接着層19は秘匿欄印刷部４の欄外に設けられることにより、剥離紙14を紙片本体１Ｂより剥がした後に第四の接着層19の跡が残っても秘匿欄印刷部４を汚すことはない。
【００３９】
さらに、請求項７に対応して第四の接着層19の接着力は、第一の接着層３、第二の接着層11、第三の接着層13のいずれよりも小さいことにより、第四の接着層19の接着力に抗して剥離紙14を紙片本体１Ｂより剥がすとき、第一の接着層３、第二の接着層11、第三の接着層13の箇所が剥がれるようなことはない。
【産業上の利用可能性】
【００４０】
以上のように本考案にかかる秘匿性を有した情報所持体は、各種の用途に適用できる。
【図面の簡単な説明】
【００４１】
【図１】本考案の第１実施例を示す第１行程の概略断面図である。
【図２】同第２行程の概略断面図である。
【図３】同第３行程の概略断面図である。
【図４】同第４行程の概略断面図である。
【図５】同第１行程の正面図である。
【図６】同第１行程の展開した状態の正面図である。
【図７】同第１行程の展開した状態の背面図である。
【図８】同第３行程の正面図である。
【図９】同第４行程の正面図である。
【図１０】本考案の第２実施例を示す正面図である。
【図１１】同断面図である。
【符号の説明】
【００４２】
１  紙片本体
２  隠蔽紙片
３  第一の接着層
４  秘匿欄印刷部（秘匿欄）
６  第一の縁
７  第二の縁
11  第二の接着層
12  シート材
13  第三の接着層
14  剥離紙
19  第四の接着層
【図１】
0003145351.tif 000003
【図２】
0003145351.tif 000004
【図３】
0003145351.tif 000005
【図４】
0003145351.tif 000006
【図５】
0003145351.tif 000007
【図６】
0003145351.tif 000008
【図７】
0003145351.tif 000009
【図８】
0003145351.tif 000010
【図９】
0003145351.tif 000011
【図１０】
0003145351.tif 000012
【図１１】
0003145351.tif 000013
【手続補正書】
【提出日】平成20年7月30日(2008.7.30)
【手続補正１】
【補正対象書類名】実用新案登録請求の範囲
【補正対象項目名】全文
【補正方法】変更
【補正の内容】
【実用新案登録請求の範囲】
【請求項１】
紙片本体の表面に形成した秘匿欄を、隠蔽紙片を接着して覆うことで秘匿性を有し、前記隠蔽紙片を剥がして前記秘匿欄をあらわす秘匿性を有した情報所持体において、前記秘匿欄のいずれか一方の第一の縁に前記隠蔽紙片のいずれか一方の第二の縁を第一の接着層を介して接続し、該隠蔽紙片の前記秘匿欄に対応する貼り合わせ面に透明又は半透明な第二の接着層を介して透明又は半透明なシート材を設けると共に、該シート材の表面に前記第二の接着層の接着力より大きな透明又は半透明な接着力を有する第三の接着層を介して剥離紙を設けたことを特徴とする秘匿性を有した情報所持体。
【請求項２】
前記第二の接着層が擬似接着層であることを特徴とする請求項１記載の秘匿性を有した情報所持体。
【請求項３】
前記シート材がグラシン紙であることを特徴とする請求項２記載の秘匿性を有した情報所持体。
【請求項４】
前記紙片本体が郵便葉書であることを特徴とする請求項１〜３のいずれか１項に記載の秘匿性を有した情報所持体。
【請求項５】
前記紙片本体と前記剥離紙との間に第四の接着層を前記第一の縁と反対側に設けたことを特徴とする請求項１〜４のいずれか１項に記載の秘匿性を有した情報所持体。
【請求項６】
前記第四の接着層は前記秘匿欄の欄外に設けられることを特徴とする請求項５記載の秘匿性を有した情報所持体。
【請求項７】
前記第四の接着層の接着力は、前記第一の接着層、前記第二の接着層、前記第三の接着層のいずれの接着力よりも小さいことを特徴とする請求項５または６記載の秘匿性を有した情報所持体。
【手続補正２】
【補正対象書類名】明細書
【補正対象項目名】０００９
【補正方法】変更
【補正の内容】
【０００９】
請求項１の考案は、紙片本体の表面に形成した秘匿欄を、隠蔽紙片を接着して覆うことで秘匿性を有し、前記隠蔽紙片を剥がして前記秘匿欄をあらわす秘匿性を有した情報所持体において、前記秘匿欄のいずれか一方の第一の縁に前記隠蔽紙片のいずれか一方の第二の縁を第一の接着層を介して接続し、該隠蔽紙片の前記秘匿欄に対応する貼り合わせ面に透明又は半透明な第二の接着層を介して透明又は半透明なシート材を設けると共に、該シート材の表面に前記第二の接着層の接着力より大きな透明又は半透明な接着力を有する第三の接着層を介して剥離紙を設けたことを特徴とする秘匿性を有した情報所持体である。
【手続補正３】
【補正対象書類名】明細書
【補正対象項目名】００１１
【補正方法】変更
【補正の内容】
【００１１】
請求項３の考案は、前記シート材がグラシン紙であることを特徴とする請求項２記載の秘匿性を有した情報所持体である。
【手続補正４】
【補正対象書類名】明細書
【補正対象項目名】００１５
【補正方法】変更
【補正の内容】
【００１５】
請求項７の考案は、前記第四の接着層の接着力は、前記第一の接着層、前記第二の接着層、前記第三の接着層のいずれの接着力よりも小さいことを特徴とする請求項５または６記載の秘匿性を有した情報所持体である。